(57)【特許請求の範囲】
【請求項１】
ディジタルテレビ放送波を受信する受信手段と、映像及び音声を出力する手段と、映像及び音声を記録する記録手段と、ディジタルテレビ放送波に含まれる番組情報を取得する取得手段と、放送波を受信し所定日時に前記記録手段に映像及び音声を記録させる予約録画手段と、無線ネット接続を行なって情報の送受信を行なう無線ネット接続手段と、前記無線ネット接続で受信し表示している情報ページのなかの少なくとも一部のキャラクタ情報と前記番組情報のなかの少なくとも一部のキャラクタ情報とを照合することにより、前記少なくとも一部のキャラクタ情報を番組情報に含んでいる番組を前記無線ネット接続で受信し表示している情報ページに関係ありと判断して表示する表示手段と、前記表示された番組に対して録画予約の対象とする番組の指定を受け付ける受付手段と、を備えたことを特徴とする携帯型視聴装置。
【請求項２】
請求項１に記載の携帯型視聴装置において、前記録画予約の実行前に、ディジタルテレビ放送波による最新の番組情報に基づいて前記録画予約の対象とされた番組の番組編成に変更が生じていないかを判断するように構成されたことを特徴とする携帯型視聴装置。
【請求項３】
請求項２に記載の携帯型視聴装置において、前記録画予約の対象とされた番組の番組編成に変更が生じた場合に、前記録画予約の対象とされた番組の番組情報と前記ディジタルテレビ放送波による最新の番組情報との一致或いは近似を判断して当該録画予約の対象とされた番組の移動先を検索する手段を備えたことを特徴とする携帯型視聴装置。
【請求項４】
請求項３に記載の携帯型視聴装置において、前記一致或いは近似する番組が前記最新の番組情報に複数存在する場合、該複数の番組のリストを表示して利用者に選択させ、選択された番組を録画予約の対象とされた番組として登録することを特徴とする携帯型視聴装置。
【発明の詳細な説明】
【０００１】
【産業上の利用分野】
この発明は、ネット接続やテレビ視聴等が行える携帯型視聴装置に関する。
【０００２】
【従来の技術】
従来より、携帯型のテレビジョン受信装置が提供されており、かかる装置は内蔵の小型チューナによって地上波アナログ放送を受信し、液晶表示パネルに受信映像を映し出すようになっている。また、近年においては、ＭＰＥＧ４（Ｍｏｖｉｎｇ  Ｐｉｃｔｕｒｅ  Ｅｘｐｅｒｔｓ  Ｇｒｏｕｐ４）に基づいた符号化映像データをメモリカードに記録し、このメモリカードを携帯型視聴装置のスロットに装填することにより、外出先でも録画映像を楽しむことができるようになっている。ＭＰＥＧ４に基づいた符号化映像データは、通常のテレビジョン放送による受信映像やハンディカメラで撮像した映像をＭＰＥＧ４エンコーダに通すことで得たり、或いは、インターネットを利用してダウンロードすることで得ることができる。更に、上記インターネットにより特定のサイトにアクセスしてレース（競馬等）の投票を行うとレース投票券（馬券等）の購入効果が得られるサービスもある。
【０００３】
【発明が解決しようとする課題】
ところで、上記のごとくレース投票を行なうのは、現地で実際にレースを見ることができない状況にあることが多く、しかも、レースの出走時間中は何らかの作業に従事しており、この作業から解放されて帰宅したときにレースを放送する番組を見たり、録画しておいたレース番組を再生して見ることになろう。レース番組を録画するのであれば、例えば、自宅の放送受信装置において、投票レースを放映する番組をＥＰＧによって調べておき、録画予約を実行させることが考えられる。しかしながら、その日に自宅に帰れないこともあるであろうし、また、出勤前に自宅のディジタル放送受信装置に録画予約させるのも煩わしく思えることも生じてくるであろう。
【０００４】
この発明は、上記の事情に鑑み、ネット接続にてレース投票を行なうことに連動して当該レースを放映する番組の予約録画が行なわれることを実現するサービス提供サイト及び携帯型視聴装置を提供することを目的とする。
【０００５】
【課題を解決するための手段】
この発明のサービス提供サイトは、ネットワークを介して投票情報を受け付けてレース投票券の購入効果を与えるサイトであって、前記投票情報に基づいて当該投票の対象とされるレースの放送番組を受信するのに必要な番組情報をネット接続相手に対して送信する機能を持つように構成されたことを特徴とする。
【０００６】
そして、この発明にかかる携帯型視聴装置は、テレビ放送波を受信する受信手段と、映像及び音声を出力する手段と、映像及び音声を記録する記録部と、番組情報に基づいて所定日時に放送受信を実行して記録部に映像及び音声を記録させる予約録画手段と、無線でネット接続を行なって情報の送受信を行なう無線ネット接続手段と、ネット接続により受け取った番組情報に基づいて予約録画を実行させる制御手段と、を備えたことを特徴とする。
【０００７】
上記携帯型視聴装置はディジタルテレビ放送を受信する装置として構成され、ディジタルテレビ放送波に載せられている番組情報に基づいて電子プログラムガイド表示が行なえると共に、前記ネット接続により受け取った番組情報に基づく録画予約実行前に、ディジタルテレビ放送波による最新の番組情報に基づいて録画予約実行対象の番組に変更が生じていないかを判断するように構成されていてもよい。
【０００８】
また、この発明の携帯型視聴装置は、ディジタルテレビ放送波を受信する受信手段と、映像及び音声を出力する手段と、映像及び音声を記録する記録部と、番組情報に基づいて所定日時に放送受信を実行して記録部に映像及び音声を記録させる予約録画手段と、ディジタルテレビ放送波に載せられている番組情報に基づいて電子プログラムガイド表示を行なう手段と、無線でネット接続を行なって情報の送受信を行なう無線ネット接続手段と、ネット接続で送受信された情報に基づいて関係有りと判断した番組情報にて番組リスト表示を行なって予約録画を受け付ける手段と、を備えたことを特徴とする。
【０００９】
前記番組情報に基づく録画予約実行前に、ディジタルテレビ放送波による最新の番組情報に基づいて録画予約実行対象の番組に変更が生じていないかを判断するように構成されていてもよい。
【００１０】
録画予約実行対象の番組に変更が生じていないかを判断できる携帯型視聴装置において、録画予約実行対象の番組の移動先を検索する手段を備えてもよい。
【００１１】
【発明の実施の形態】
以下、この発明の実施形態を図１乃至図４に基づいて説明する。
【００１２】
図１はこの実施形態の携帯型視聴装置２と情報提供システムとの関係を模式的に表した説明図である。携帯型視聴装置２は、放送局１１からの地上ディジタル放送波を受信してテレビ視聴を行なわせることが可能であり、更に、無線ネット接続によってプロバイダ１２に接続し、インターネット１３を介してサイト１４との間で情報の送受信が行なえる。
【００１３】
ここで、上記サイト１４は、インターネット１３を介して投票情報を受け付けてレース投票券の購入効果を与えるものとする。かかるサービス内容は既に存在する。サイト１４は、前記投票情報に基づいて当該投票の対象とされるレースの放送番組を受信するのに必要な番組情報をネット接続相手に対して送信できるようになっており、かかる点で既存のものと異なる。サイト１４は各レースの放送番組がどのチャンネルで何時から始まるかといった情報を蓄積する番組データベースを備えており、投票が行なわれた際に、この投票の対象とされるレースの番組情報を番組データベースから取り出す。そして、例えば、投票を受け付けた旨のメッセージと共に「レースはテレビで放送されます。受信のための番組情報をダウンロードしますか」の記述及び「ＹＥＳ」「ＮＯ」のボタンを記述したページをネット接続相手に対して返送する（図３参照）。上記「ＹＥＳ」のボタンが押されたら、上記番組情報をネット接続相手に送る。
【００１４】
図２及び図３は、据置型周辺装置１及び携帯型視聴装置２を示している。携帯型視聴装置２は屋外等では前記図１及び図３に示すごとく利用されるが、自宅においては図２に示すごとく据置型周辺装置１に装着した形態で利用することができるようになっている。この実施形態では、据置型周辺装置１はアナログ放送を受信し、この受信した放送をエンコードして得た符号化映像・音声データをスロット１０１に差し込まれたメモリカード３（例えば、コンパクトフラッシュカード（商標）やマルチメディアカード（商標）等）に格納する。据置型周辺装置１の本体部１ａにおける手前側には、収容凹部１ｃが形成されており、この収容凹部１ｃに携帯型視聴装置２を差し込んで装着することができる。この装着状態で携帯型視聴装置２は据置型周辺装置１から充電を受けるようになっている。
【００１５】
携帯型視聴装置２は、略方形状で偏平な形状を有しており、電池駆動される構成となっている。携帯型視聴装置２は、チューナー２３０によって地上波ディジタル放送を受信する。また、スロット２０１に差し込まれたメモリカード３から符号化映像・音声データを読み出し、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。なお、視聴に関する操作ボタン（プレイ／ポーズ、ストップ、送り、音量等）については、筐体部に設けている。
【００１６】
以下、これら据置型周辺装置１と携帯型視聴装置２の回路構成を、図３に基づいて詳しく説明していく。
【００１７】
まず、据置型周辺装置１について説明していく。チューナ１０２は、アナログ放送を受信し、この放送受信信号を出力する。チューナ１０２の起動指令や任意の放送を受信するための選局情報（チャンネル情報）は、Ｉ／Ｏ（インプット／アウトプット）回路１０３及びシステムバス１０４を介してＣＰＵ１１０から与えられる。ＣＰＵ１１０は、ユーザによる選局指令情報（指定チャンネル情報、指定時間情報など）を、システムバス１０４、ＰＣＭＣＩＡインターフェイス１０５、及びスロット１０１を介して前記メモリカード３から受け取る。スイッチ１０６は、前記放送受信信号を入力する入力部と外部信号を入力する入力部とを有し、いずれかの信号を選択してＡ／Ｄ変換回路１０７に供給する。
【００１８】
Ａ／Ｄ変換回路１０７は、アナログ信号をディジタル信号に変換してＭＰＥＧ４（Ｍｏｖｉｎｇ  Ｐｉｃｔｕｒｅ  Ｅｘｐｅｒｔｓ  Ｇｒｏｕｐ４）エンコーダ１０８に供給する。ＭＰＥＧ４エンコーダ１０８は、ＭＰＥＧ４に従い、例えば、映像中の背景や背景中の人物を各々オブジェクトとして個別に記述し、この任意形状の各オブジェクトを取り扱うために形状情報を付加すると共にＭＰＥＧ２と同様にＤＣＴ処理や動きベクトル処理等を行ってビデオパケットを生成し、これを連続させたビットストリームを出力する。音声についても所定の符号化を行い、この音声符号化データを上記ビットストリームに組み込む。ＳＤＲＡＭ１０９は、ＭＰＥＧ４エンコーダ１０８の上記処理において利用される。
【００１９】
ＭＰＥＧ４エンコーダ１０８が出力したビットストリーム（符号化映像・音声データ）は、システムバス１０４、ＰＣＭＣＩＡインターフェイス１０５、及びスロット１０１を介して前記メモリカード３に格納される。
【００２０】
スロット１０１及びＰＣＭＣＩＡインターフェイス１０５のセットは、二組設けられている。スロット１０１には、上記メモリカード３の他、ＰＨＳデータカード４等を装着することができる。
【００２１】
充電回路１１３は、商用電源からの交流を直流化する回路等を有して成り、図１に示すごとく携帯型視聴装置２が据置型周辺装置１に装着されたとき、図示しない充電端子部を介して携帯型視聴装置２への充電電力供給を行う。
【００２２】
ＣＰＵ１１０は、上述したチューナ１０２の動作制御やＭＰＥＧ４エンコーダ１０８の出力をメモリカード３に格納する処理（録画処理）を行う他、スロット１０１にＰＨＳデータカード４が装着された場合のデータ送受信、このデータに基づく各機能部の制御、ＦｌａｓｈＲＯＭ１１１やＤＲＡＭ１１２のリード／ライト制御なども行うようになっている。
【００２３】
次に、携帯型視聴装置２を説明していく。メモリカード３に格納されているＭＰＥＧ４ビットストリームデータは、ＰＣＭＣＩＡインターフェイス２２０、及びシステムバス２１３を経てＭＰＥＧ４デコーダ２０４に供給される。また、地上波ディジタル放送を受信するチューナ２３０は、この地上波ディジタル放送で放送されるＭＰＥＧ４のビットストリームデータを取り出し、ＭＰＥＧ４デコーダ２０４に与えたり、メモリカード３に記録すべくシステムバス２１３に供給したりする。ＭＰＥＧ４デコーダ２０４は、前記ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、地上波ディジタル放送から取得した番組情報によるＥＰＧ画面等）を液晶表示パネル２０２に表示する処理も行う。オーディオデコーダ２０６は、ビットストリーム中の音声符号データをＭＰＥＧ４デコーダ２０４から受け取り、復号して音声データを生成する。ＳＤＲＡＭ２１０は、ＭＰＥＧ４デコーダ２０４の上記処理において利用される。
【００２４】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２５】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２６】
本体キー２１４は先述した視聴に関する操作ボタン（プレイ／ポーズ、ストップ、送り）に相当する。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００２７】
また、無線ネットワークを可能にするために、通信ブロック２１６及びインターフェイス（例えば、Bluetooth など）２１７が設けられている。更に、ＦｌａｓｈＲＯＭ２１８やＳＤＲＡＭ２１９も備える。電池２２１は二次電池であり、据置型周辺装置１から電力の供給を得てこれを蓄えるようになっている。携帯電話部２３１は、通常の電話のために用いることとしている。
【００２８】
ＣＰＵ２０９は、スロット２０１にＰＨＳデータカード４が装着された場合のデータ送受信、受信データに基づく各機能部の制御、ＦｌａｓｈＲＯＭ２１８やＳＤＲＡＭ２１９のリード／ライト制御なども行うようになっている。更に、ユーザがタッチパネル２１１等を用いてアナログ放送受信の番組指定（チャンネル及び時刻指定）を行ったときには、その情報をメモリカード３に格納する処理を行うようになっている。
【００２９】
液晶表示パネル２０２上には、メニュー画面として、「ＴＶを視聴する」「ＴＶの録画予約を行う」「再生する」「情報端末とする」といった項目を表示できる。
【００３０】
利用者によって「ＴＶを視聴する」が選択されると、チャンネル選択のために例えばリモコンを表した画像を液晶表示パネル２０２に表示し、ユーザのペン入力で指定されたチャンネルの番組を受信すべくチューナを制御し、取得したその番組のビットストリームデータに基づいて番組を表示する。
【００３１】
また、「ＴＶの録画予約を行う」が選択されると、選局情報の入力や録画開始時刻等の入力を受け付け、録画開始時刻と現在時刻とが一致するかを判断し、録画開始時刻になれば、メモリカード３への記録を行い、録画終了時刻になれば、録画処理を終了する。
【００３２】
なお、ＴＶ視聴やＴＶの録画予約において、地上波ディジタル放送から取得した番組情報によるＥＰＧ画面を表示し、このＥＰＧ画面上にて利用者は番組を指定することもできる。
【００３３】
「再生する」が選択されると、メモリカード３の有無、符号化映像・音声データの有無を判断した後、共にＹＥＳであれば、符号化映像・音声データをメモリカード３から読み出し、符号化映像・音声データによる再生を行なう。
【００３４】
「情報端末とする」が選択されると、例えば、液晶表示パネル２０２上に「メールする」「インターネットする」といった項目が表示され、ユーザによって項目が選択されると、その項目に従った処理を実行する。ここで、「インターネットする」が選択されると、ブラウザが起動される。
【００３５】
携帯型視聴装置２のウェブ機能により、サイト１４にアクセスすることができる。サイト１４が提供するレース投票受け付けサービスに対しては会員登録が必要であることが多いと考えられ、アクセスの際に登録ＩＤの入力等が求められるであろう。このサイト１４からレース投票のページをＨＴＭＬファイルにより受け取ると、ブラウザによって液晶表示パネル２０２上はレース投票の画面が表示される。利用者はタッチペン等でレース番号を特定して購入枚数等を入力し、返送ボタンを操作すると、前記サイト１４はレース番号や購入枚数を前記登録ＩＤに対応付けて管理し、当該登録ＩＤの所有者についてレース投票券の購入効果を与える。そして、前記サイト１４は、先にも述べたが、番組情報をダウンロードすることについて「ＹＥＳ」のボタンが押されたときには、番組情報を携帯型視聴装置２に送信することになる。
【００３６】
なお、ＸＭＬファイル等のごとく情報に属性を持たせることができるファイルであるなら、番組情報には番組情報であることの属性を持たせておき、携帯型視聴装置２のブラウザ側で番組情報の部分を自動判断して取り込むことも可能である。すなわち、携帯型視聴装置２の側から番組情報の取得意志を示さなくても番組情報を取り込むことができる。このように、とりあえず番組情報を取り込んでおき、後で（例えば、ブラウザ終了時など）番組情報が存在する旨を利用者に画面メッセージ等で伝え、利用者が当該番組情報に基づいて録画予約する意志表示をしたときに、録画予約を行なうこととしてもよい。
【００３７】
携帯型視聴装置２は、上記の番組情報を取得すると、メモリに格納し、録画予約情報として管理する。ところで、ディジタル放送波に載せられてくる番組情報には、番組名、番組開始日時、番組継続時間、ジャンル情報、ｅｖｅｎｔ−ｉｄなどが含められており、サイト１４が送出する番組情報についても、これら情報を含む同様の形式としておくのがよい。携帯型視聴装置２は、サイト１４から送出されてきた番組情報を前記のごとく録画予約情報として扱い、通常の録画予約と同様、現在日時が番組開始日時（或いは１分前等）になれば、チューニング処理を実行して番組受信処理を行い映像・音声を記録する処理を実行する。
【００３８】
これにより、現地で実際にレースを見ることができない状況下であり、しかもレースのテレビ放送中は何らかの作業に従事するような場合には、この作業から解放されたときに、録画しておいたレース番組を再生して投票レースを見ることができることになる。そして、このための番組予約録画処理は、ＥＰＧによって利用者自らがレース番組を探し出すのではなく、サイト１４から送られてきた番組情報に基づいてレース番組の録画予約が行なわれて実現されるのであるから、利用者に煩わしい思いをさせることもない。また、携帯型視聴装置２であれば、仕事帰りの電車内などでレース番組を再生して見ることが可能である。
【００３９】
前記ネット接続によりサイト１４から受け取った番組情報に基づく録画予約実行前に、地上波ディジタルテレビ放送波による最新の番組情報に基づいて録画予約実行対象の番組に変更が生じていないかを判断するようにしてもよい。番組情報（番組編成情報）の変更は、本来的な編成変更の他、録画予約時点の位置から別の放送エリアへと電車等によって移動したような場合にも生じ得る。番組変更の判断は、本来一致すべき番組名、番組開始日時、番組継続時間、ジャンル情報、ｅｖｅｎｔ−ｉｄの不一致によって判断することができる。このような番組変更が生じたときには、携帯型視聴装置２はメッセージ音やメッセージ画面を表示して利用者に知らせることとするのがよい。
【００４０】
また、上記メッセージ画面において、例えば「番組の変更先を検索しますか」のメッセージ及び「ＹＥＳ」「ＮＯ」のボタンを表示し、利用者に検索実行を促すようにしてもよい。「ＹＥＳ」が選択されたときには携帯型視聴装置２は番組検索処理を実行する。この検索処理は、サイト１４から受け取った番組情報（番組名、番組開始日時、番組継続時間、ジャンル情報、ｅｖｅｎｔ−ｉｄ等）に一致する或いは近似する番組がＥＰＧデータ内に存在するかどうかを検索することで実現できる。一致する或いは近似する番組が一つ又は複数存在すれば、そのリストを提示して、利用者に選択させ、選択された番組を録画予約の対象として再登録する処理を行なうことになる。
【００４１】
以上の例では、レース番組の番組情報をサイト１４から受け取るようにした構成を示したが、他の構成として、携帯型視聴装置２におけるネット接続時の情報の送受信内容に基づき関係有りと判断した番組情報にて番組リスト表示を行なって予約録画を受け付けるようにしてもよい。具体的には、レース投票画面を成すページ中のテキストである「○○レース」「○月○日○時開催」「○○チャンネルでテレビ放映」といった情報（キャラクタ情報）、更には投票行為（例えば、チェックボックスのチェック操作等）の情報を取得する。そして、投票行為があったと判断したとき、「○○レース」「○月○日○時開催」「○○チャンネルでテレビ放映」といった情報とＥＰＧの番組情報との照合を行い、番組リストを提示して利用者に選択させ、選択された番組を録画予約の対象として再登録する処理を行なうことになる。
【００４２】
また、このようにして録画予約を行なった場合においても、先述した番組の変更判断や変更先検索の処理を行なうようにしてもよいものである。
【００４３】
【発明の効果】
以上説明したように、この発明によれば、ネット接続にてレース投票を行なうことに連動して当該レースを放映する番組の予約録画が行なえる。また、番組編成変更や放送エリアが変更されるような移動を行なった場合にも対応できるという効果を奏する。
【図面の簡単な説明】
【図１】この発明の実施形態の携帯型視聴装置と情報提供システムとの関係を模式的に表した説明図である。
【図２】携帯型視聴装置を周辺装置に装着した状態を示した外観斜視図である。
【図３】携帯型視聴装置の外観斜視図である。
【図４】携帯型視聴装置及びその周辺装置の構成を示したブロック図である。
【符号の説明】
１        据置型周辺装置
１０２    チューナ
１０８    ＭＰＥＧ４エンコーダ
１１３    充電回路
２        携帯型視聴装置
２０２    液晶表示パネル
２０４    ＭＰＥＧ４デコーダ
３        メモリカード
４        ＰＨＳデータカード
１１      放送局
１２      プロバイダ
１３      インターネット
１４      サイト
【図１】
0004859327.tif 000002
【図２】
0004859327.tif 000003
【図３】
0004859327.tif 000004
【図４】
0004859327.tif 000005